【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
画像形成装置における複数の記録素子の位置補正値を、２の階乗で表される記録素子の値毎に求め、
前記位置補正値に基づいたラスタバッファの読出しアドレスにより、
前記ラスタバッファから２の階乗単位でラスタデータを読出すことを特徴とする補正方法。
【請求項２】
複数の発光素子をライン状に配列したチップを主走査方向に配列した発光素子アレイヘッドを用いて画像を記録するプリンタにおいて、
前記複数の発光素子の位置補正値を２の階乗で表せる発光素子の値毎に求め、補正データとして出力する補正データ出力手段と、
補正データ出力手段から出力された補正データを記録する記憶部と、
前記記憶部から２の階乗単位で補正データを読み出して発光素子アレイヘッドへ送信するヘッド制御部とを備えたことを特徴とするプリンタ。
【請求項３】
請求項２に記載のプリンタにおいて、
前記発光素子アレイヘッドはＬＥＤアレイヘッドであることを特徴とするプリンタ。
【請求項４】
複数の記録素子をライン状に配列したチップを主走査方向に複数個ライン状に配列した記録ヘッドを用いて画像を記録するプリンタにおいて、
特定のヘッド補正単位毎に予め記録された前記記録ヘッドの位置補正値を読出すと共に、当該ヘッド補正単位の値を２の階乗でかつ前記チップを構成する複数の記録素子の約数となる値をデータ補正単位として、このデータ補正単位で前記位置補正値を求め、これを補正データとして出力する補正データ書込み手段と、
前記補正データ書込み手段から出力された前記データ補正単位毎の補正データを記憶する補正値記憶部と、
画像データを一時格納するラスタバッファ記憶部と、
前記補正値記憶部の値に基づいて補正を行い、当該補正したアドレスを、前記ラスタバッファ記憶部へのデータ補正単位毎の読出しアドレスとして与えるラスタバッファ制御部と、
前記ラスタバッファ記憶部から前記読出しアドレスに基づいて前記データ補正単位ずつ画像データを読出し、前記記録ヘッドに与えるヘッド制御部とを備えたことを特徴とするプリンタ。
【請求項５】
請求項４に記載のプリンタにおいて、
補正したデータ補正単位毎の副走査方向のラインが、画像データの副走査方向の領域内に位置するか否かを判断するラスタバッファ制御部と、
前記ラスタバッファ制御部で領域外であると判定された場合は、ラスタバッファ記憶部からの読出しデータの代わりに０データを出力する０データ出力手段とを備えたことを特徴とするプリンタ。
【請求項６】
請求項５に記載のプリンタにおいて、
主走査補正量を加算したレフトマージンを記憶するレフトマージンレジスタと、
主走査補正量を加算したライトマージンを記憶するライトマージンレジスタと、
ラスタバッファ記憶部の前段側に設けられ、前記レフトマージンレジスタの値のうち、データ補正単位に対応するビット数で切り捨てた値の残りのビット数分ビットシフトし、当該ビットシフトした結果、データが存在しない書込みラインの開始および終了時は当該データの存在しないビットを０とした前記データ補正単位のデータを、前記ラスタバッファ記憶部に画像データとして供給するビットシフト回路と、
前記レフトマージンレジスタの値を含むデータ補正単位のアドレスから前記ライトマージンレジスタの値を含むデータ補正単位のアドレスまでは、前記ビットシフト回路からのデータをラスタバッファ記憶部に書込み、当該ラスタバッファ記憶部からの読出し時では、前記書込みがなされた領域では、前記ラスタバッファ記憶部からのデータを出力し、それ以外の領域では値０を出力するよう制御を行う補正データ読出制御手段とを備えたことを特徴とするプリンタ。
【請求項７】
請求項４〜６のいずれかに記載のプリンタにおいて、
記録ヘッドの記録素子による歪み段差データから求めた位置補正値の変化点と、当該記録ヘッドの装置取付による傾きデータから求めた位置補正値の変化点が重なり、かつ、当該変化点で変化する量が所定量より大きい場合は、前記傾きデータの変化点をずらして位置補正値を求める補正データ書込み手段とを備えたことを特徴とするプリンタ。
【請求項８】
請求項４〜７のいずれかに記載のプリンタにおいて、
プリンタとして使用する縦解像度のうち、最も細かい縦解像度に対応した補正値を格納する補正値記憶部と、
前記補正値記憶部から取得した補正値から前記縦解像度に応じた補正値を求め、当該補正値と、どのラインを読出すかを指定するポインタ値を加算し、かつ、当該加算値を整数値として、これをデータ補正単位の読出しラインとしてラスタバッファ記憶部に出力するラスタバッファ制御部とを備えたことを特徴とするプリンタ。
【手続補正２】
【補正対象書類名】明細書
【補正対象項目名】０００９
【補正方法】変更
【補正の内容】
【０００９】
【課題を解決するための手段】
本発明は、前述の課題を解決するため次の構成を採用する。
〈構成１〉
画像形成装置における複数の記録素子の位置補正値を、２の階乗で表される記録素子の値毎に求め、位置補正値に基づいたラスタバッファの読出しアドレスにより、ラスタバッファから２の階乗単位でラスタデータを読出すことを特徴とする補正方法。
〈構成２〉
複数の発光素子をライン状に配列したチップを主走査方向に配列した発光素子アレイヘッドを用いて画像を記録するプリンタにおいて、前記複数の発光素子の位置補正値を２の階乗で表せる発光素子の値毎に求め、補正データとして出力する補正データ出力手段と、補正データ出力手段から出力された補正データを記録する記憶部と、前記記憶部から２の階乗単位で補正データを読み出して発光素子アレイヘッドへ送信するヘッド制御部とを備えたことを特徴とするプリンタ。
〈構成３〉
構成２に記載のプリンタにおいて、前記発光素子アレイヘッドはＬＥＤアレイヘッドであることを特徴とするプリンタ。
【手続補正３】
【補正対象書類名】明細書
【補正対象項目名】００１０
【補正方法】変更
【補正の内容】
【００１０】
〈構成４〉
複数の記録素子をライン状に配列したチップを主走査方向に複数個ライン状に配列した記録ヘッドを用いて画像を記録するプリンタにおいて、特定のヘッド補正単位毎に予め記録された記録ヘッドの位置補正値を読出すと共に、ヘッド補正単位の値を２の階乗でかつチップを構成する複数の記録素子の約数となる値をデータ補正単位として、このデータ補正単位で位置補正値を求め、これを補正データとして出力する補正データ書込み手段と、補正データ書込み手段から出力されたデータ補正単位毎の補正データを記憶する補正値記憶部と、画像データを一時格納するラスタバッファ記憶部と、補正値記憶部の値に基づいて補正を行い、補正したアドレスを、ラスタバッファ記憶部へのデータ補正単位毎の読出しアドレスとして与えるラスタバッファ制御部と、ラスタバッファ記憶部から読出しアドレスに基づいてデータ補正単位ずつ画像データを読出し、記録ヘッドに与えるヘッド制御部とを備えたことを特徴とするプリンタ。


【手続補正４】
【補正対象書類名】明細書
【補正対象項目名】００１１
【補正方法】変更
【補正の内容】
【００１１】
〈構成５〉
構成４に記載のプリンタにおいて、補正したデータ補正単位毎の副走査方向のラインが、画像データの副走査方向の領域内に位置するか否かを判断するラスタバッファ制御部と、ラスタバッファ制御部で領域外であると判定された場合は、ラスタバッファ記憶部からの読出しデータの代わりに０データを出力する０データ出力手段とを備えたことを特徴とするプリンタ。


【手続補正５】
【補正対象書類名】明細書
【補正対象項目名】００１２
【補正方法】変更
【補正の内容】
【００１２】
〈構成６〉
構成５に記載のプリンタにおいて、主走査補正量を加算したレフトマージンを記憶するレフトマージンレジスタと、主走査補正量を加算したライトマージンを記憶するライトマージンレジスタと、ラスタバッファ記憶部の前段側に設けられ、レフトマージンレジスタの値のうち、データ補正単位に対応するビット数で切り捨てた値の残りのビット数分ビットシフトし、ビットシフトした結果、データが存在しない書込みラインの開始および終了時はデータの存在しないビットを０としたデータ補正単位のデータを、ラスタバッファ記憶部に画像データとして供給するビットシフト回路と、レフトマージンレジスタの値を含むデータ補正単位のアドレスからライトマージンレジスタの値を含むデータ補正単位のアドレスまでは、ビットシフト回路からのデータをラスタバッファ記憶部に書込み、ラスタバッファ記憶部からの読出し時では、書込みがなされた領域では、ラスタバッファ記憶部からのデータを出力し、それ以外の領域では値０を出力するよう制御を行う補正データ読出制御手段とを備えたことを特徴とするプリンタ。


【手続補正６】
【補正対象書類名】明細書
【補正対象項目名】００１３
【補正方法】変更
【補正の内容】
【００１３】
〈構成７〉
構成４〜６のいずれかに記載のプリンタにおいて、記録ヘッドの記録素子による歪み段差データから求めた位置補正値の変化点と、記録ヘッドの装置取付による傾きデータから求めた位置補正値の変化点が重なり、かつ、変化点で変化する量が所定量より大きい場合は、傾きデータの変化点をずらして位置補正値を求める補正データ書込み手段とを備えたことを特徴とするプリンタ。


【手続補正７】
【補正対象書類名】明細書
【補正対象項目名】００１４
【補正方法】変更
【補正の内容】
【００１４】
〈構成８〉
構成４〜７のいずれかに記載のプリンタにおいて、プリンタとして使用する縦解像度のうち、最も細かい縦解像度に対応した補正値を格納する補正値記憶部と、補正値記憶部から取得した補正値から縦解像度に応じた補正値を求め、補正値と、どのラインを読出すかを指定するポインタ値を加算し、かつ、加算値を整数値として、これをデータ補正単位の読出しラインとしてラスタバッファ記憶部に出力するラスタバッファ制御部とを備えたことを特徴とするプリンタ。


【手続補正８】
【補正対象書類名】図面
【補正対象項目名】図１１
【補正方法】変更
【補正の内容】
【図１１】
2002370406.tif 000001